(57)【要約】【課題】  撮影が実施される条件や環境に応じて、必要な情報を適切なタイミングで撮影者に通知できる放射線撮影装置を提供する。【解決手段】  複数の報知態様を有する複数の報知手段を備え、放射線撮影装置の配置や撮影モードに応じて、前記複数の報知手段のうち、用いる報知手段の組み合わせを切り替える切替え手段を有することを特徴とする。【選択図】  図１
2018075061.tif 000002
【特許請求の範囲】
【請求項１】
複数の報知態様を有する複数の報知手段を備えた放射線撮影装置であって、
前記複数の報知手段のうち、用いる報知手段の組み合わせを切り替える切替え手段を有することを特徴とする放射線撮影装置。
【請求項２】
複数の撮影モードを有し、
前記切替え手段は、用いる撮影モードに応じて、前記用いる報知手段の組み合わせを切り替えることを特徴とする請求項１に記載の放射線撮影装置。
【請求項３】
前記複数の報知手段は、光によって報知を行う第１の報知手段と、音によって報知を行う第２の報知手段とからなることを特徴とする請求項２に記載の放射線撮影装置。
【請求項４】
撮影した画像データを保存する記憶手段を備え、
前記複数の撮影モードは、
撮影した画像データを外部の制御装置に転送することなく、前記記憶手段に順次保存しながら撮影を行う第１の撮影モードと、撮影した画像データを、前記制御装置に順次転送しながら撮影を行う第２の撮影モードとからなり、
前記第１の撮影モードのときは、前記第１の報知手段と前記第２の報知手段との両方が用いられ、前記第２の撮影モードのときは、前記第１の報知手段と前記第２の報知手段との少なくとも一方が用いられることを特徴とする請求項３に記載の放射線撮影装置。
【請求項５】
前記第２の撮影モードでは、撮影した画像データを前記制御装置に転送するのに加えて、前記記憶手段へも保存することを特徴とする請求項４に記載の放射線撮影装置。
【請求項６】
前記第１の報知手段は、撮影枚数の情報を表示するカウンタであることを特徴とする請求項４に記載の放射線撮影装置。
【請求項７】
放射線の照射開始を検出するための検出手段を備えており、
前記複数の撮影モードは、
前記検出手段によって、放射線の照射が開始されたこと判定して撮影を行う第１の撮影モードと、
放射線発生装置から照射開始信号を受けて撮影を行う第２の撮影モードとからなり、
前記第１の撮影モードのときは、前記第１の報知手段と前記第２の報知手段との両方が用いられ、前記第２の撮影モードのときは、前記第１の報知手段と前記第２の報知手段との少なくとも一方が用いられることを特徴とする請求項３に記載の放射線撮影装置。
【請求項８】
照射された放射線の線量が所定の線量に到達したときに、放射線の照射を停止するＡＥＣ機能を有しており、
前記複数の撮影モードは、
前記ＡＥＣ機能を用いて撮影を行う第１の撮影モードと、
前記ＡＥＣ機能を用いずに撮影を行う第２の撮影モードとからなり、
前記第１の撮影モードのときは、前記第２の報知手段が用いられ、前記第２の撮影モードのときは、前記第１の報知手段と前記第２の報知手段との少なくとも一方が用いられることを特徴とする請求項３に記載の放射線撮影装置。
【請求項９】
光センサー及び圧力センサーの少なくとも一方を備え、
前記切替え手段は、前記光センサー及び圧力センサーの少なくとも一方から出力された信号に応じて、前記用いる報知手段の組み合わせを切替えることを特徴とする請求項１〜８の何れか１項に記載の放射線撮影装置。
【請求項１０】
請求項１〜９の何れか１項に記載の放射線撮影装置と、前記放射線撮影装置から画像データを取得し、前記画像データに画像処理を施す制御装置とからなる放射線撮影システム。
【発明の詳細な説明】
【技術分野】
【０００１】
本発明は、複数の報知部を備えた放射線撮影装置に関する。
【背景技術】
【０００２】
医療分野において、半導体材料によって形成された平面検出器（Ｆｌａｔ  Ｐａｎｅｌ  Ｄｅｔｅｃｔｏｒ、以下ＦＰＤと略す）を用いた放射線撮影装置が普及している。放射線撮影装置の多機能化に伴い、放射線撮影装置を備えた放射線撮影システムのユーザーインターフェースとして、撮影装置の状態を撮影者に報せるための報知手段の重要性が高まっている。
【０００３】
特許文献１には、Ｘ線検出器の駆動状態を、音や振動、光によって報知するＸ線撮影装置が開示されている。特許文献２には、電源のオン・オフ等を表示するインジケータと、撮影室内での位置を報せるための音声を出力するスピーカとを備えた電子カセッテからなる放射線画像撮影システムが開示されている。
【先行技術文献】
【特許文献】
【０００４】
【特許文献１】特開２００５−０１３２７２号公報
【特許文献２】特開２０１２−１００９６２号公報
【発明の概要】
【発明が解決しようとする課題】
【０００５】
放射線画像撮影において、放射線撮影装置は様々な状態で用いられる。例えば、放射線撮影装置が専用のトレーにセットされた状態で撮影が行われる場合や、寝台上に横になった被写体の下に挿入されて撮影が行われる場合がある。このような状態では仮に撮影装置に表示手段を設けていたとしても、表示を確認することが出来ずに、必要な情報を適切なタイミングで取得することが出来ない可能性がある。
【０００６】
また、手術室や集中治療室等で、他の電子機器からの報知音が存在する場合、音声による報知では、他の報知音との区別が出来ないために、適切な情報取得が出来ない場合もある。さらに、環境によっては音を出すこと自体許されない場合もあるなど、環境や撮影手法によって適切な報知手段は異なる。
しかしながら、従来の撮影システムにおいては、複数の報知手段が備えられていても、これらを切り替えることが出来ないため、様々な撮影状況に対して適切に対応することが出来ない恐れがあった。
【課題を解決するための手段】
【０００７】
本発明は、複数の報知態様を有する複数の報知手段を備えた放射線撮影装置であって、前記複数の報知手段のうち、用いる報知手段の組み合わせを切り替える切替え手段を有することを特徴とする。
【発明の効果】
【０００８】
本発明によれば、撮影が実施される条件や環境に応じて、最適な報知手段に切り替えることによって、必要な情報を適切なタイミングで撮影者に通知することが可能となり、誤操作を防止するとともに操作性を向上させた放射線撮影装置を提供することが出来る。
【図面の簡単な説明】
【０００９】
【図１】第１の実施形態に係る放射線撮影システムのブロック図
【図２】第１の実施形態に係る放射線撮影装置のブロック図
【図３】第１の実施形態に係る放射線撮影装置の斜視図
【図４】実施例１に係る切替え部の模式図
【図５】実施例２に係る選択報知部の模式図
【図６】第１の実施形態に係る検出モジュールのブロック図
【図７】第２の実施形態に係る検出モジュールのブロック図
【図８】実施例５に係る放射線撮影装置の操作モジュールの模式図
【発明を実施するための形態】
【００１０】
以下では、本発明の好適な実施の形態について図面を用いながら詳細に説明する。尚、実施形態では、Ｘ線を用いた撮影について説明するが、本発明に係る放射線は、Ｘ線のみに限られるものではなく、α線、β線、γ線、各種粒子線を含む。
【００１１】
［実施形態１］
図１は、第１の実施形態に関わる放射線撮影システム１０の概略構成を示す。放射線撮影装置１００は、放射線源３１０から放射され被写体７００を透過した放射線３２０を検出して、被写体７００の放射線画像データを取得する。放射線撮影装置１００としては、ＦＰＤが好適である。
【００１２】
放射線撮影装置１００は、検出モジュール１１０及び制御モジュール１２０を少なくとも有している。検出モジュール１１０は、検出した放射線を電気信号に変換する。変換された電気信号は、デジタル化されて制御モジュール１２０に送られ、各種信号処理を施されたのちに、保存通信モジュール１３０に送られる。保存通信モジュール１３０は、受け取った信号を画像データとして記録装置へ保存し、また通信インターフェースを介して外部の制御装置２００へ送信する。
【００１３】
制御装置２００には、制御用のメニューや撮影後の画像データを表示するためのディスプレイ等の表示装置２１０や、各種入力を行うためのマウスやキーボードといった入力装置２２０を接続しても良い。
【００１４】
制御モジュール１２０は、画像データの処理のほかに、検出モジュール１１０の駆動や操作モジュール１４０からの入力の処理など、放射線撮影装置１００全体の制御を行う。操作モジュール１４０は、複数の異なる報知態様を持った複数の報知部１４３、１４４（報知手段）と、切替え手段としての切替え部１４２とからなる。切替え部１４２は、複数の報知部１４３、１４４の切り替えを行うために設けられており、スライドスイッチやボタンスイッチ、タッチパネル等を用いることが出来る。また、本実施形態では、放射線撮影装置１００に切替え部１４２が設けられているが、制御装置２００に設けられてもよい。その場合は、制御装置２００に接続された表示装置２１０に表示されたメニューから、所望の報知部を入力装置２２０の操作によって選択してもよい。
【００１５】
制御装置２００は、パーソナルコンピュータやワークステーションが用いられ、放射線撮影システム全体の動作や撮影モードを制御する。放射線撮影装置１００から画像データを取得し、画像データに画像処理を施す。
【００１６】
放射線撮影装置１００と制御装置２００との間の通信は、アクセスポイント（ＡＰ）６００を介して無線ＬＡＮによって行われる。また、外部のアクセスポイント６００を介さずに、放射線撮影装置１００又は制御装置２００の何れかがアクセスポイントとなって直接通信を行ってもよい。あるいは、Ｂｌｕｅｔｏｏｔｈ等の無線通信手段や、Ｅｔｈｅｒｎｅｔ等の有線通信手段に依って接続することも可能である。
【００１７】
制御装置２００と放射線源制御装置３００との間には、放射線インターフェースユニット（放射線Ｉ／Ｆ）４００が設けられている。インターフェースユニット４００は、放射線撮影装置１００と放射線源制御装置３００の間で行わる通信を媒介する回路を保有しており、同期信号等のやりとりを中継する。放射線撮影装置１００と放射線源制御装置３００の状態を監視することで、放射線撮影装置１００の状態に応じて放射線源３１０からの放射線の照射タイミングを調整することができる。さらに、制御装置２００にも接続されることで、各種制御信号や情報の授受を中継する。
【００１８】
インターフェースユニット４００は、ＨＵＢ５００を介してＥｔｈｅｒｎｅｔにより制御装置２００と接続されている。ＨＵＢ５００は、複数のネットワーク機器を接続するためのユニットである。さらに、ＨＵＢ５００にはアクセスポイント６００を接続することで、無線ＬＡＮによって放射線撮影装置１００とも接続されている。
【００１９】
一方、放射線源３１０からの放射線の照射を、放射線撮影装置１００が検知して自動的に撮影を行う放射線撮影システムの場合には、インターフェースユニット４００は不要となる。本実施形態は、このような、非同期型のシステムにおいても適用可能である。
【００２０】
図２は、本実施形態における放射線撮影装置１００の構成の一例を示す概略図である。
【００２１】
撮影装置制御部１２１は、放射線撮影装置１００の動作の全体を制御するためのユニットであり、電源制御部１２２とともに制御モジュール１２０を構成している。
【００２２】
電源制御部１２２は、放射線撮影装置１００の動作用電源の制御を行うためのユニットであり、バッテリ１５０あるいは外部インターフェース１３１からの電力の供給を受けて、放射線撮影装置１００の動作に必要な各種電源を生成して、各ユニットへ供給を行う。さらにバッテリ１５０の充電の制御を行う機能を備えても良い。
【００２３】
検出モジュール１１０は、検出器１１１、駆動回路１１２、読み出し回路１１３で構成されている。検出器１１１は、図６に示すように、行列状に配列された複数の撮像画素９００を有する。撮像画素９００は、放射線を電気信号に変換する第１変換素子９０１と、信号配線９０４と第１変換素子９０１との間に配置された第１スイッチ９０２とを含むように構成されている。第１変換素子９０１は、放射線を光に変換するシンチレータ及び光を電気信号に変換する光電変換素子とで構成される。
【００２４】
尚、非同期型のシステムの場合、検出モジュールに照射検出部１１４を含めることも可能である。照射検出部１１４は、例えば、バイアス配線９０５を流れる電流（バイアス電流）の変化を検出する。即ち、検出器１１１への放射線照射によって生じる入力信号を照射検出部１１４に送り、放射線照射中に生じるバイアス電流量の変化を検出することで、放射線の照射開始を判定する。
【００２５】
撮影装置制御部１２１は、入力されたデジタル画像データに対して、画像の欠陥やオフセットを補正するための処理や、様々なノイズを低減するための処理を行う。撮影装置制御部１２１で処理された画像データは、保存通信モジュール１３０に送られる。保存通信モジュール１３０は、記憶部１３４や、無線通信部１３２、外部インターフェース（外部Ｉ／Ｆ）１３１などから構成される。
【００２６】
記憶部１３４は、撮影装置制御部１２１において処理された画像データと画像データに付随する情報とを合わせて保存する。画像データに付随する情報とは、撮影した患者に関する情報や、撮影者に関する情報、撮影した部位に関する情報、撮影した日時に関する情報、画像の識別を行うためのユニークなＩＤ等の情報などを含む。また、非同期型システムで撮影を行う場合、放射線の検知判定に用いた情報などを含んでも良い。
【００２７】
無線通信部１３２は、記憶部１３４に保存された画像データ等を、外部の制御装置２００等に無線送信するためのユニットであり、アンテナ１３３が接続されている。尚、撮影装置制御部１２１にて処理された画像データを、直接無線通信部１３２を介して外部に送信してもよい。この時、並行して記憶部１３４への保存処理を行うようにしてもよい。また制御装置２００等への送信については、無線通信部を介することなく、外部インターフェース１３１を介して有線通信によって行うことも可能である。
【００２８】
操作モジュール１４０は、操作者が操作を行うための操作部１４１と、報知態様として、光により報知するための、ＬＥＤやＬＣＤ等の表示手段（第１の報知手段）や、音により報知するための、スピーカー等の発音手段（第２の報知手段）を備えた複数の報知部１４３、１４４とからなる。また、複数の報知部のうち、用いる報知部の組み合わせを切り替えるための切替え部１４２を備える。操作モジュール１４１や切替え部１４２、報知部１４３、１４４は、いずれも撮影装置制御部１２１に接続されている。
【００２９】
センサー部１６０は、撮影部の状態を検知するセンサーであり、光センサー及び圧力センサーの少なくとも一方を用いることが出来る。センサー部１６０から出力された信号は、撮影装置制御部１２１に入力する。
【００３０】
図３は、本実施形態における放射線撮影装置１００の、特に操作モジュール１４０に関する部分の構成を示す概略図である。放射線撮影装置１００の側面に、操作部１４１、報知部１４３、１４４、切替え部１４２、及び外部インターフェース１３１が設けられている。本実施形態において、報知部１４３は、ＬＥＤによる表示部であり、報知部１４４はスピーカーの開口部である。また、報知部１４３、１４４は、放射線撮影装置１００の側面に配置されることが好適であるが、裏面や、放射線の入射面に配置してもよい。
【００３１】
操作部１４１は、ボタンやダイヤル、スライドスイッチ、タッチセンサ、タッチパッドなどを含む。操作部１４１は、操作者からの指示を受け、放射線撮影装置１００の各種操作を行うための入力インターフェースである。本実施形態においては、電源ボタンとして機能するスイッチが配置されている。
【００３２】
センサー部１６０は、光センサーの入力用開口部であり、照射面の４隅に設けられている。また放射線撮影装置１００の内部には圧力センサーも配置されており、照射面に印加された圧力を検知することが出来るように構成されている。
【００３３】
（実施例１）
図４は、本実施例に係る、切替え部１４２の模式図である。切替え部１４２は、スライドスイッチからなり、スピーカーのみ使用するか、ＬＥＤのみ使用するか、あるいはスピーカーとＬＥＤの両方を使用するかを、スライダの位置によって切替える。
【００３４】
操作者は、放射線撮影装置１００の配置状態に応じて、切替え部１４２を操作することにより、撮影中に使用する報知部を切替えることが出来る。例えば、放射線撮影装置１００を手に持って操作する場合は、両方の報知部を使用するようにし、患者の下に放射線撮影装置１００を配置するとＬＥＤの表示が見えなくなるため、撮影を行う前にスピーカーのみ使用するように切替えればよい。このように、不要な報知をオフとすることで消費電力が低減される。
【００３５】
また、本実施例では、切替え部１４２が放射線撮影装置１００に備えられている場合について説明したが、制御装置２００側から切替えができるようにしても良い。そうした場合は、図５に示すように、どの報知部が選択されているのかを示す表示を放射線撮影装置１００に設けることが好ましい。
【００３６】
（実施例２）
本実施例では、放射線撮影装置内に配置された各種センサーの出力に応じて、使用する報知部を切替える。図３に示すように、センサー部１６０として、光センサーが放射線撮影装置１００の放射線照射面１７０の４隅に配置されており、当該位置に照射される環境光の強度を測定することができる。
【００３７】
環境光の強度が所定の閾値以下である場合、放射線撮影装置１００が撮影用のスタンドやテーブルに設けられた専用トレー内にセットされているか、あるいは患者の下に挿入されるなどしている状態であると判定し、ＬＥＤによる表示をオフとしてスピーカーによる報知のみを行うように、自動的に切替わる。
【００３８】
また、放射線撮影装置１００の内部に配置され、放射線の照射面に印加される荷重を測定可能な圧力センサーの出力も同様に報知部の切り替え条件の判定に用いることが出来る。この場合は、所定の閾値を超える圧力が印加されている場合は、患者の下に挿入されていると判断し、ＬＥＤによる表示をオフとしてスピーカーによる報知のみを行うように、自動的に切替わる。
【００３９】
自動的に切替わる場合は、撮影装置制御部１２１が切替え手段に相当する。尚、手動により報知部を選択し切替えるための、切替え部１４２が放射線撮影システム内に備えられている場合は、そちらの選択結果を優先する。
【００４０】
（実施例３）
本実施例に係る放射線撮影装置は、放射線の照射開始を検知して撮影を行う放射線照射検出モードを有している。照射開始の検出のための入力信号としてバイアス配線の電流情報を用いている。放射線照射検知手段に入力された電流のサンプル値が、所定の閾値を超えたことを判定することで、放射線の照射開始を判定することが出来る。
【００４１】
インターフェースユニットを用いて放射線源制御装置と連動して撮影を行う場合は、撮影が可能なタイミング以外では放射線の照射が行えないように制御することが可能である。一方、放射線自動検出モードでの撮影では、放射線撮影装置あるいは放射線撮影システムが撮影に適した状態でない場合でも、放射線の照射が可能となる。放射線は人体に対して有害であり、不適切なタイミングでの照射は避けることが求められる。そのため、放射線自動検出モードで撮影を行うシステムにおいては、インターフェースユニットを用いて撮影を行うシステムよりも、撮影者に対して必要な情報をわかりやすく報知することが求められる。
【００４２】
ここで必要な情報とは特に撮影部の状態に関する情報であり、具体的には、放射線撮影装置が撮影可能な状態になったことや、逆に撮影が行えない状態になったことなどである。また、撮影可能な状態に制限時間があるような場合は、その残り時間に応じて報知をしてもよい。さらに放射線の撮影を検出して撮影を開始したタイミングや、放射線の照射が終了したタイミング、あるいは一定の蓄積時間での撮影を行うように設定されたシステムの場合、蓄積が終了したタイミングなどで報知してもよい。また蓄積中やその後の読み出し処理、あるいは画像データの転送などの各種処理中に外部からの衝撃を受けることによる誤動作をさけるため、こうした各種処理が完了したタイミングで報知することも好ましい。
【００４３】
本実施例においては、放射線撮影装置に設けられたＬＥＤ等の表示を確認が出来ない状態であっても必要な情報を確実に報知するため、放射線自動検出モードで撮影を行う場合においては、スピーカーによる報知を必ず行うように、撮影装置制御部１２１が自動的に報知部の切り替えを行う。また、放射線自動検出モードで撮影を行なわない（放射線発生装置３１０から照射開始信号を受けて撮影を行う）場合には、ＬＥＤによる報知及びスピーカーによる報知の少なくとも一方を行う。
【００４４】
なお、手動により報知部を選択し切り替えるための、報知部切り替え手段が放射線撮影システム内に備えられている場合は、そちらの選択結果を優先する。
【００４５】
［実施形態２］
本発明の第２の実施形態に係る放射線撮影システムは、放射線の照射量又は積算照射量を検知することで、照射された放射線の線量が所定の線量に到達したときに、放射線の照射を停止するＡＥＣ（Ａｕｔｏ  Ｅｘｐｏｓｕｒｅ  Ｃｏｎｔｒｏｌ）機能をもったモードでの撮影が可能である。
【００４６】
図７は、第２の実施形態における検出モジュール１１０の模式図である。図６との違いを中心として、放射線の照射量あるいは積算照射量を検知する部分について説明する。
【００４７】
検出器１１１を構成する複数の画素は、放射線画像の取得のための複数の撮像画素９００と、放射線の照射線量検知のための少なくとも１つの検知画素９２１とを含む。撮像画素９００は、放射線を電気信号に変換する第１変換素子９０１と、信号配線９０３と第１変換素子９０１との間に配置された第１スイッチ９０２とを含む。検知画素９２１は、放射線を電気信号に変換する第２変換素子９２２と、検知信号線９２５と第２変換素子９２２との間に配置された第２スイッチ９２３とを含む。
【００４８】
第１変換素子９０１及び第２変換素子９２２は、放射線を光に変換するシンチレータ及び光を電気信号に変換する光電変換素子とで構成される。シンチレータは、一般的には、複数の撮像画素からなる撮像領域を覆うようにシート状に形成され、複数の撮像画素によって共有される。第１変換素子９０１及び第２変換素子９２２は、放射線を直接に光に変換する変換素子で構成されてもよい。
【００４９】
第１スイッチ９０２及び第２スイッチ９２３は、非晶質シリコン又は多結晶シリコン（好ましくは多結晶シリコン）などの半導体で活性領域が構成された薄膜トランジスタ（ＴＦＴ）からなる。
【００５０】
第１変換素子９０１の第１電極は、第１スイッチ９０２の第１主電極に接続され、第１変換素子９０１の第２電極は、バイアス線９０５に接続される。ここで、１つのバイアス線９０５は、列方向に延びていて、列方向に配列された複数の変換素子９０１の第２電極に共通に接続される。バイアス線９０５は、電源回路９０６からバイアス電圧Ｖｓを受ける。１つの列を構成する複数の撮像画素９００の第１スイッチ１０２の第２主電極は、１つの信号配線９０３に接続される。１つの行を構成する複数の撮像画素９００の第１スイッチ９０２の制御電極は、１つの走査配線９０４に接続される。
【００５１】
複数の信号配線９０３は、読み出し回路１１３に接続される。ここで、読み出し回路１１３は、複数のアンプＩＣ１１７と、マルチプレクサ９０８と、アナログデジタル変換器（以下、ＡＤ変換器）１１８とを含む。各信号配線９０３は、複数のアンプＩＣ１１７のうちの対応するアンプＩＣ１１７に接続される。１つの信号配線９０３は、１つのアンプＩＣ１１７に対応する。アンプＩＣ１１７は、差動増幅器を含む。マルチプレクサ９０８は、複数のアンプＩＣ１１７を所定の順番で選択し、選択したアンプＩＣ１１７からの信号をＡＤ変換器１１８に供給する。ＡＤ変換器１１８は、供給された信号をデジタル信号に変換して出力する。撮影装置制御部１２１にはデジタル変換された画像情報が入力される。
【００５２】
第２変換素子９２２の第１電極は、第２スイッチ９２３の第１主電極に接続され、第２変換素子９２２の第２電極は、バイアス線９０５に接続される。第２スイッチ９２３の第２主電極は、検知信号線９２５に電気的に接続される。第２スイッチ９２３の制御電極は、駆動線９２４に電気的に接続される。１つの検知信号線９２５には、少なくとも１つの検知画素９２１が接続される。駆動線９２４は、検知用画素駆動用回路９４１によって駆動される。１つの駆動線９２４には、少なくとも１つの検知画素９２１が接続される。
【００５３】
検知信号線９２５は、照射線量検出回路９５２に接続される。照射線量検出回路９５２は、複数の検知部９４２と、マルチプレクサ９４４と、ＡＤ変換器９４６とを含む。各検知信号線９２５は、複数の検知部９４２のうちの対応する検知部９４２に接続される。１つの検知信号線９２５は、１つの検知部９４２に対応する。検知部９４２は、差動増幅器を含む。マルチプレクサ９４４は、複数の検知部９４２を所定の順番で選択し、選択した検知部９４２からの信号をＡＤ変換器９４６に供給する。ＡＤ変換器９４６は、供給された信号をデジタル信号に変換して出力する。
【００５４】
信号処理部９４５は、照射線量検出回路９５２（ＡＤ変換器９４６）の出力に基づいて、放射線撮像装置１００へ照射された放射線の照射線量を示す情報を出力する。撮影装置制御部１２１は、信号処理部９４５からの情報に基づいて、駆動用回路１１２、検知用画素駆動用回路９４１及び読み出し回路１１３を制御する。さらに、撮影装置制御部１２１は、信号処理部９４５からの情報に基づいて、蓄積動作（撮像画素９００による照射された放射線に対応する電荷の蓄積）の開始及び終了を制御する。また、撮影装置制御部１２１は、放射線照射停止信号を発生し、放射線インターフェースを通じて放射線源制御装置３００に伝達することで放射線の照射を停止させる。
【００５５】
（実施例４）
一般に、放射線画像を撮影する場合は、被写体の条件（体格など）により必要な照射線量が異なる。通常は、操作者が条件を判断して適切な照射線量を設定するが、操作者によるバラツキや条件の設定ミス等に依り、過剰あるいは過少な照射線量での撮影を行ってしまい、所望の画像を得られない恐れがある。
【００５６】
ＡＥＣ機能は、そうした課題を解決するものであり、被写体の条件によらず安定して画像を得ることができる。ＡＥＣ機能を用いて撮影を行う場合は、様々な被写体の条件に対応して撮影を行うために、想定される最大の照射時間や線量に設定される場合が多い。従って、この機能が想定通りに動作しない場合や、停止するのに十分な放射線量が照射されなかった場合には、所望の品質の画像が得られないだけでなく、場合によっては過剰な放射線を照射することとなるため、想定通りに機能が動作したことが報知されることが好ましい。
【００５７】
従って、放射線撮影装置１００に設けられたＬＥＤ等の表示を確認が出来ない状態であっても必要な情報を確実に報知するため、ＡＥＣ機能を用いたモードで撮影を行う場合においては、スピーカーによる報知を必ず行うように、撮影装置制御部１２１が自動的に報知部の切り替えを行う。また、ＡＥＣ機能を用いないモードで撮影を行う場合においては、ＬＥＤによる報知及びスピーカーによる報知の少なくとも一方を行う。
【００５８】
尚、手動により報知部を選択し切り替えるための、切替え部１４２が放射線撮影システム内に備えられている場合は、そちらの選択結果を優先する。
【００５９】
［実施形態３］
本実施形態の放射線撮影システムは、放射線撮影装置１００は制御装置２００との通信を行うことなく、放射線撮影装置単独で連続して撮影を行うスタンドアローンモードでの撮影が可能である。操作者は、撮影モード選択部（不図示）の操作により、スタンドアローンモードを選択することができる。撮影モード選択部は、放射線撮影装置１００に設けても良いし、制御装置側の操作により切替えられるようにしてもよい。
【００６０】
スタンドアローンモードで撮影された複数の画像データは、放射線撮影装置内部の記憶部に、順次保存される。このとき画像データには撮影内容を識別するための識別情報を追加するようにしてもよい。識別情報とは、撮影を実施した操作者識別用のＩＤや、被写体識別用のＩＤ、撮影を実施した日時、撮影枚数情報（カウンタ値）、画像良否判断結果などの情報などである。識別情報は、撮影モード切替えに先立って制御装置２００から送信してもよいし、放射線撮影装置本体の操作によって入力できるようにしてもよい。複数の被写体を連続して撮影する場合には、制御装置２００から撮影対象のリスト情報を受信しておき、撮影された画像及び識別情報に加えて、受信した撮影対象に関する情報を紐づけるようにしてもよい。
【００６１】
記憶部に保存された画像データは、撮影後に、放射線撮影装置１００が制御装置２００に接続された時点で、制御装置２００に転送される。この時、全ての画像データを自動的に転送するようにしてもよいし、転送する画像データを選択できるようにしてもよい。あるいは、放射線撮影装置１００に接続したＵＳＢメモリやＳＤカード、ハードディスクドライブ等の外部記憶装置に転送するように構成してもよい。
【００６２】
スタンドアローンモードでない場合は、撮影した画像データは、制御装置２００に順次転送される。
【００６３】
（実施例５）
図８は、本実施例に係る放射線撮影装置の操作モジュール１４０に関する部分の構成を中心に示す概略図である。
【００６４】
スタンドアローンモードで撮影を行う場合は、制御装置２００など外部の報知手段が使用できないため、それ以外のシステムと比較して、放射線撮影装置１００の状態を把握するための報知部を余分に必要とする。撮影の直後に画像の確認が行えないことから、撮影ができたことを容易に確認するための報知が必要となる。ＬＣＤカウンタ１４５に撮影枚数の情報を表示することで、撮影が行われたことを確認することが出来る。ＬＣＤカウンタ１４５は、放射線撮影装置１００のエラー情報などを表示しても良い。さらに、放射線撮影装置１００が撮影可能な状態になったことや、逆に撮影が行えない状態になったことを報知してもよい。また、撮影可能な状態に制限時間があるような場合は、その残り時間などの情報もカウンタ表示又は音声により報知してもよい。
【００６５】
スタンドアローンモードで撮影を行う場合は、ＬＣＤカウンタ１４５を確認することが出来ない状態であっても、撮影が行われたことを確実に把握するために、放射線の照射を検出したタイミングで、スピーカによる報知を合わせて行う。また、スタンドアローンモードで撮影を行なわない場合は、ＬＣＤ及びスピーカの少なくとも一方による報知を行う。
【符号の説明】
【００６６】
１０  放射線撮影システム
１００  放射線撮影装置
１４２  切替え部
１４３、１４４  報知部
【図１】
2018075061.tif 000003
【図２】
2018075061.tif 000004
【図３】
2018075061.tif 000005
【図４】
2018075061.tif 000006
【図５】
2018075061.tif 000007
【図６】
2018075061.tif 000008
【図７】
2018075061.tif 000009
【図８】
2018075061.tif 000010